(57)【要約】【課題】  チューナ装置に設けた入力端子の接地側に、ケーブルのグランド側から妨害波が流入することがあり、接地側を介してチューナ回路に妨害波が流入し、雑音が生じ画像の乱れを誘起させることがあった。本発明は妨害波の影響低減することを目的とする。【解決手段】  チューナ本体１を回路基板２の端縁部２１に取り付け、回路基板の端縁部近傍（例えば裏面）にアースパターン２２を形成し、回路基板２の端縁部２１を挟むように導電性のクリップ４を取り付け、このクリップ４の一端が入力端子１２の接地側に接触し、他端がアースパターン２２に接触するようにし、ケーブル３のグランドを介して流入する妨害波を導電性クリップ４を介してアースパターン２２に落とすようにしたことを特徴とする。【選択図】  図１
2006108747.tif 000002
【特許請求の範囲】
【請求項１】
筐体内にチューナ回路を形成したチューナ本体と、
前記筐体の一側面に設けられ、テレビジョン信号がケーブルを介して入力され、内側に信号端子を有し、外周が接地側を構成する筒状の入力端子と、
前記入力端子が基板端縁部に位置するように、前記チューナ本体が一方の面に取り付けられるとともに、前記基板端縁部に近接してアースパターンが形成された回路基板と、
前記回路基板の前記基板端縁部を挟むように前記回路基板に取り付けられ、前記入力端子の接地側と前記アースパターンに接触する導電性部材と、を具備したことを特徴とするチューナ装置。
【請求項２】
前記筐体の一側面に設けられた前記入力端子が、前記基板端縁よりも突出するように前記チューナ本体を前記回路基板に取り付け、この突出した入力端子と前記回路基板との間に前記導電性部材を取り付けたことを特徴とする請求項１記載のチューナ装置。
【請求項３】
前記回路基板のアースパターンの一部にハンダ付けを施し、前記導電性部材が前記ハンダに接触するようにしたことを特徴とする請求項１記載のチューナ装置。
【請求項４】
前記ハンダ付けは、前記アースパターンの前記入力端子に対する位置に施したことを特徴とする請求項３記載のチューナ装置。
【請求項５】
前記導電性部材は、弾性を有し前記回路基板の前記基板端縁部を挟む挟持部と、この挟持部から前記入力端子の接地側に向けて延びた延材部とからなることを特徴とする請求項１記載のチューナ装置。
【請求項６】
筐体内にチューナ回路を形成したチューナ本体と、
前記筐体の一側面に設けられ、テレビジョン信号がケーブルを介して入力され、内側に信号端子を有し、外周が接地側を構成する筒状の入力端子と、
前記入力端子が基板端縁部に位置しかつ端縁部よりも突出するように、前記チューナ本体が一方の面に取り付けられ、前記基板端縁部に近接してアースパターンが形成された回路基板と、
前記アースパターンの前記入力端子に対する位置に設けられた半田付着部と、
弾性を有し、前記回路基板の前記基板端縁部を挟むように前記回路基板に取り付けられ、前記入力端子の接地側と前記ハンダ付着部に接触する導電性部材と、を具備したことを特徴とするチューナ装置。
【発明の詳細な説明】
【技術分野】
【０００１】
本発明は、テレビジョン信号を受信するチューナ装置に関し、ケーブルを介してテレビジョン信号が入力される入力端子を備え、ケーブルのグランド側から入力端子に流入する妨害波の影響を低減し得るチューナ装置に関する。
【背景技術】
【０００２】
テレビジョン受像機やＣＡＴＶ等のチューナ装置は、一般的に、チューナ筐体が金属ケースで構成されており、このチューナ筐体内にチューナ回路を形成し、前記チューナ筐体のシールド効果によって外部からの妨害波を低減するようにしている。
【０００３】
また、チューナ装置には、アンテナやＣＡＴＶからのケーブルを接続するために、チューナ筐体の側壁に入力端子を設け、この入力端子にケーブルを挿入するようにしている。この入力端子は、筒状の金属材により形成され、その内側に信号端子を有し、外側が接地側端子となっている。この入力端子部には、アンテナ等から配線されたケーブルの接栓が差し込まれ、ケーブルの信号線が前記信号端子に接続し、ケーブルのグランド側が前記接地側端子に接続されるようになっている。
【０００４】
ところで、従来のチューナ装置は、筐体によってチューナ内部の回路はシールドされているが、ケーブルのグランド側から入力端子の接地側に妨害波が流入することがあり、接地側を介してチューナ筐体内の回路に妨害波が流入し、雑音が生じ画像の乱れを誘起させることがあった。また、静電気や落雷等によりサージ電流が流れることもあり、チューナ回路が破壊されることがあった。
【０００５】
このような妨害波に対処するため、特許文献１には、入力端子部をチューナの金属ケースより外方に突設したチューナ装置において、前記入力端子部の接地側端子と前記金属ケースとの間を非導通にする絶縁体を設け、入力端子部の接地側端子をコンデンサを介して電源回路の接地極側に接続した例が記載されている。  しかしながら、このような絶縁体を配置する構成は端子構造が複雑になり、実用性に欠けるという課題があった。
【特許文献１】特開２０００−１９６４７６号公報
【発明の開示】
【発明が解決しようとする課題】
【０００６】
上記した従来のチューナ装置は、ケーブルのグランド側から入力端子の接地側に妨害波が流入することがあり、接地側を介してチューナ筐体内の回路に妨害波が流入し、雑音が生じ画像の乱れを誘起させることがあった。また、特許文献１に記載の例では、構造的に複雑になるという課題があった。
【０００７】
本発明は上記した点に鑑み、簡単な構造により妨害波の影響を低減することが可能なチューナ装置を提供することを目的とする。
【課題を解決するための手段】
【０００８】
本発明はこのような問題点を解決するためになされたであって、筐体内にチューナ回路を形成したチューナ本体と；前記筐体の一側面に設けられ、テレビジョン信号がケーブルを介して入力され、内側に信号端子を有し、外周が接地側を構成する筒状の入力端子と；前記入力端子が基板端縁部に位置するように、前記チューナ本体が一方の面に取り付けられとともに、前記基板端縁部に近接してアースパターンが形成された回路基板と；前記回路基板の前記基板端縁部を挟むように前記回路基板に取り付けられ、前記入力端子の接地側と前記アースパターンに接触する導電性部材と；を具備したことを特徴とする。
【０００９】
また、本発明のチューナ装置は、筐体内にチューナ回路を形成したチューナ本体と；前記筐体の一側面に設けられ、テレビジョン信号がケーブルを介して入力され、内側に信号端子を有し、外周が接地側を構成する筒状の入力端子と；前記入力端子が基板端縁部に位置しかつ端縁部よりも突出するように、前記チューナ本体が一方の面に取り付けられ、前記基板端縁部に近接してアースパターンが形成された回路基板と；前記アースパターンの前記入力端子に対する位置に設けられた半田付着部と；弾性を有し、前記回路基板の前記基板端縁部を挟むように前記回路基板に取り付けられ、前記入力端子の接地側と前記ハンダ付着部に接触する導電性部材と；を具備したことを特徴とする。
【発明の効果】
【００１０】
本発明によれば、ワンタッチで取り付け可能な導電性のクリップを使用することにより、妨害波の影響を低減し、イミュニティ及びサージ保護に効果のあるチューナ装置を提供することができる。
【発明を実施するための最良の形態】
【００１１】
以下、図面を参照しながら本発明のについて詳細に説明する。
【実施例１】
【００１２】
図１は、本発明の実施の形態におけるチューナ装置の外観構造示す斜視図であり、（ａ）は回路基板表面に取り付けられたチューナ部の構成を示し、（ｂ）は回路基板の裏面の形状を示したものである。また、図２は側面図及び正面図であり、図３は本発明にて使用する導電性クリップの具体例を示す斜視図である。
【００１３】
図１（ａ）において、１はチューナ本体であり、金属性の筐体１１内にチューナ回路が形成されている。前記筐体１１は、前面板１１１から突出した円筒状の入力端子１２を有し、この入力端子１２は、内側に信号端子１２１が設けられ、外周部が接地用端子１２２となっている。
【００１４】
また、筐体１１の側面からは複数の接続用端子１３が突出しており、筐体１１内の回路と回路基板２とを端子１３を介して接続している。前記入力端子１２には、アンテナ等からのケーブル３が接続可能であり、このケーブル３の端部に設けた接栓３１を入力端子１２に差し込むことにより、テレビジョン信号が入力され、チューナの回路部に導入するようになっている。
【００１５】
前記チューナ本体１は、入力端子１２の先端が回路基板２の端縁２１よりも突出するように回路基板２に取り付けられており、入力端子１２の下部における基板２の端縁２１には、導電性のクリップ４が取り付けられる。
【００１６】
図２（ａ）は、クリップ４が取り付けられた状態を側面から見た図を示し、図２（ｂ）は、入力端子１２側から見た正面図を示している。またクリップ４の構成を図３に拡大して示している。クリップ４は、基板２を挟む挟持部４１と、挟持部４１から入力端子１２側に延びて接地側端子１２２に接する接触部４２とを有し、全体的に弾性を有する導電材料で構成されている。
【００１７】
また、基板２の前記端縁２１近傍の裏面にはアースパターン２２が配線されている。アースパターン２２は、全体がソルダレジストインクで覆われているが、入力端子１２に対応する位置のパターンは、ソルダレジストインクで覆われることなく、露出しており、この露出部にクリームハンダ等によりハンダ付けが施されており、ハンダ２３が付着している。そしてこのハンダ２３に導電性のクリップ４の挟持部４１が接触するようにしている。
【００１８】
したがって、入力端子１２にケーブル３を差し込んで接続すると、ケーブル３のグランド側と入力端子１２の接地側端子１２２は、クリップ４を介して回路基板２のアースパターン２２に接地されるため、ケーブル３のグランド側から流入する妨害波は、チューナ本体１には流入することなく、回路基板２のアースパターン２２に吸収される。また、落雷時等にアンテナおよびケーブルを介して
発生するサージ電流も、このクリップ４を介して回路基板２のアースパターン２２に吸収されるため、静電気や落雷によるサージ破壊も防ぐことができる。
【００１９】
また、入力端子１２は回路基板２の端縁２１よりも突出しているので、クリップ４の取り付け位置が明確になり、ケーブル３の差込が容易になる。
【００２０】
図４は、本発明の実施形態による性能改善効果を示す特性図であり、（ａ）はクリップ４がない場合の特性を示し、（ｂ）はクリップ４を取り付けた場合の特性を示している。図４において、横軸は周波数（ＭＨｚ）を表し、縦軸は妨害波の減衰量を示している。尚、縦軸は、希望波の減衰を０［ｄＢ］とし、希望チャンネル周波数よりも所定周波数（例えば１ＭＨｚ程度）ずれた信号を妨害波として与えたときの、中国における３チャンネル（Ｃ−３）、９チャンネル（Ｃ−９）、１８チャンネル（Ｃ−１８）、４２チャンネル（Ｃ−４２）での妨害波の減衰量を示している。
【００２１】
例えば中国での規格（ＧＢ／Ｔ  ９３８３）によれば、妨害波の減衰量は−５０［ｄＢ］以下になるように規定されているが、クリップ４が取り付けられていない場合には、図４（ａ）のように、Ｃ−３の減衰量は−４１．４［ｄＢ］であり、Ｃ−４２の減衰量は−３９．７［ｄＢ］であり、−５０［ｄＢ］以下という規格を満たしていない。
【００２２】
これに対し、クリップ４を取り付けた場合は、図４（ｂ）で示すようになり、（Ｃ−３）、（Ｃ−９）、（Ｃ−１８）、（Ｃ−４２）のいずれにおいても妨害波の減衰量が−５０［ｄＢ］以下になることが分かる。
【００２３】
このように、本発明の実施形態によれば、簡単なクリップ構造を取り付けるだけで妨害波を低減することができ、受信性能（イミュニティ）を改善することができる。また、落雷や静電気等のサージ破壊に対する保護効果もある。
【００２４】
尚、クリップ４は取り付け、取り外しが容易であることから、妨害波の影響が無視できる程度であれば、取り外すこともできる。また、クリップ４と接触するアースパターン部分にはハンダ２３が付着しているためクリップ４とより強固に接触することができる。
【００２５】
また、クリップ４は図３に示す形状に限られることはなく、基板２を挟みかつ入力端子１２及びアースパターン２２に接触可能であれば他の形状であっても良い。また、アースパターンは回路基板２の裏面に限らず、端縁部２１近傍の表面に形成しても良い。
【図面の簡単な説明】
【００２６】
【図１】本発明に係るチューナ装置の実施の形態を示す斜視図。
【図２】本発明のチューナ装置の構成を示す側面図及び正面図。
【図３】本発明のチューナ装置に使用するクリップの構造を示す斜視図。
【図４】本発明のチューナ装置による受信性能を説明するための特性図。
【符号の説明】
【００２７】
１    チューナ本体
１１  チューナ筐体
１２  入力端子
２    回路基板
２１  基板端縁
２２  アースパターン
２３  ハンダ
３    ケーブル
４    クリップ
４１  基板挟持部
４２  接触部
【図１】
2006108747.tif 000003
【図２】
2006108747.tif 000004
【図３】
2006108747.tif 000005
【図４】
2006108747.tif 000006